(57)【要約】【課題】  容器の口部をトップシールにより封止した状態でも容器の口部に装着することができ、製造および梱包上においてもすぐれ、また使用上においても便利な定量排出キャップを提供する。【解決手段】  定量排出キャップ１は、容器２の口部３にその外側から被せて装着する。定量排出キャップ１のキャップ５内には、容器２の口部３に接続されて外方に延出するロート状の筒体７を備えており、キャップ５内の筒体７の縮小開口部８に対応する部位には、容器２を倒立ないしは傾倒させて定量の内容物ａを貯留させる定量貯留室９と、次いで容器２を正立させて定量貯留室９から定量の内容物ａを貯留する排出貯留室１０とがそれぞれ形成されている。筒体７、定量貯留室９および排出定量貯留室１０は容器２の口部３外に有るように構成されている。容器２の口部３はトップシール１３により封止されている。【選択図】        図１
2005212881.tif 000002
【特許請求の範囲】
【請求項１】
容器の口部にその外側から被せて装着する定量排出キャップであって、キャップ内には容器の口部に接続されて外方に延出する筒体を備え、キャップ内の上記筒体の開口部に対応する部位には容器を倒立ないしは傾倒させて定量の内容物を貯留させる定量貯留室と、次いで容器を正立させて定量貯留室から定量の内容物を貯留する排出貯留室とがそれぞれ形成されていて、これら筒体、定量貯留室および排出定量貯留室が容器の口部外に有るように構成されていることを特徴とする定量排出キャップ。
【請求項２】
容器の口部は内方に向けたフランジ部を有しており、容器の口部を封止するトップシールが上記フランジ部に溶着または融着その他の手段により接着されていることを特徴とする請求項１記載の定量排出キャップ。
【請求項３】
定量排出キャップを構成するキャップは射出成形により、キャップ内の筒体は真空成形によりそれぞれ成形し、キャップ内に筒体を組み込むことを特徴とする請求項１または２記載の定量排出キャップ。
【発明の詳細な説明】
【技術分野】
【０００１】
本発明は、容器から定量の内容物（粉体、顆粒体、液体）を定量ずつ排出するための定量排出キャップに関するものである。
【背景技術】
【０００２】
塩、こしょう、粉ミルク、コーヒーなどのような粉体あるいは顆粒体、あるいは醤油やソースのような液体の容器に、その内容物を定量ずつ排出する定量排出キャップを装着して、容器を傾けることにより定量ずつ排出できる定量排出キャップは、実公昭３８−４０８８号公報、特開平１１−１１５９６０号公報あるいは特開平１０−７７０５９号公報にそれぞれ記載されている。
【特許文献１】実公昭３８−４０８８号公報
【特許文献２】特開平１１−１１５９６０号公報
【特許文献３】特開平１０−７７０５９号公報
【発明の開示】
【発明が解決しようとする課題】
【０００３】
前掲の実公昭３８−４０８８号公報、特開平１１−１１５９６０号公報あるいは特開平１０−７７０５９号公報にそれぞれ記載されている定量排出キャップは、いずれも容器の口部に入り込ませる中栓状のものであるところから、容器の口部に定量キャップを装着した状態では容器の口部を封止するトップシールを施すことができないので、容器の口部にトップシールを施す必要がある場合には、定量排出キャップは付属品として容器に添付しておき、需用者が使用にあたって容器に装着しなければならず、製造、梱包上も煩雑であるばかりか使用上も不便であったり紛失することもあった。
【０００４】
そこで、本発明は、定量排出キャップを構成する筒体、定量貯留室および排出定量貯留室が容器の口部外に有るようにしたことにより、容器の口部をトップシールにより封止した状態でも容器の口部に装着することができ、製造および梱包上においてもすぐれ、また使用上においても便利な定量排出キャップを提供することを目的とするものである。
【課題を解決するための手段】
【０００５】
上記目的を達成するための本発明の請求項１に係る定量排出キャップは、容器の口部にその外側から被せて装着する定量排出キャップであって、キャップ内には容器の口部に接続されて外方に延出する筒体を備え、キャップ内の上記筒体の開口部に対応する部位には容器を倒立ないしは傾倒させて定量の内容物を貯留させる定量貯留室と、次いで容器を正立させて定量貯留室から定量の内容物を貯留する排出貯留室とがそれぞれ形成されていて、これら筒体、定量貯留室および排出定量貯留室が容器の口部外に有るように構成されていることを特徴とするものである。
【０００６】
また、本発明の請求項２に係る定量排出キャップは、請求項１の構成において、容器の口部は内方に向けたフランジ部を有しており、容器の口部を封止するトップシールが上記フランジ部に溶着または融着その他の手段により接着されていることを特徴とするものである。
【０００７】
さらに、本発明の請求項３に係る定量排出キャップは、請求項１または２の構成において、定量排出キャップを構成するキャップは射出成形により、キャップ内の筒体は真空成形によりそれぞれ成形し、キャップ内に筒体を組み込むことを特徴とするものである。
【発明の効果】
【０００８】
本発明によれば、定量排出キャップを構成する筒体、定量貯留室および排出定量貯留室が容器の口部外に有るようにしたことにより、容器の口部をトップシールにより封止した状態でも容器の口部に装着することができ、製造および梱包上においてもすぐれ、また使用上においても便利な定量排出キャップを得ることができる。
【発明を実施するための最良の形態】
【０００９】
図１は本発明の一実施の形態に係る定量排出キャップを装着した容器の断面図、図２は同上分解断面図、図３は定量排出キャップの側面図、図４は同上平面図、図５は容器を傾けて内容物の定量計量状態を示す断面図、図６は図５の状態から計量された定量の内容物を排出貯留させた状態を示す断面図、図７は図６の状態から定量の内容物を排出する状態を示す断面図である。
【００１０】
図に示すように、定量排出キャップ１は、容器２の口部３の外側から螺合によって装着されるものであり、口部３にはそのための雄ネジ４が、定量排出キャップ１のキャップ５には雌ネジ６が形成されている。
【００１１】
定量排出キャップ１のキャップ５内には、容器２の口部３に接続されて外方に延出するロート状の筒体７を備えており、キャップ５内の上記筒体７の縮小開口部８に対応する部位には容器２を倒立ないしは傾倒させて定量の内容物を貯留させる定量貯留室９と、次いで容器を正立させて定量貯留室９から定量の内容物を貯留する排出貯留室１０とがそれぞれ形成されていて、これら筒体７、定量貯留室９および排出定量貯留室１０は容器２の口部３より外方に有るように構成されている。排出貯留室１０の天面は開口していて開閉蓋１１が備えられている。容器２の口部３には内側に向けて屈曲するフランジ部１２が形成されており、容器２の口部３は上記フランジ部１２にトップシール１３を溶着、融着その他の手段により接着させて封止されている。ａは内容物である。
【００１２】
定量排出キャップ１を構成するキャップ５は射出成形により成形され、キャップ５内の筒体７は真空成形により成形され、筒体７はキャップ５内に組み込んで一体化される。
【００１３】
定量排出キャップ１を構成する熱可塑性樹脂としては、スチレン−ブタジエン−スチレンブロックコポリマー、スチレン−エチレン−ブチレン−スチレンブロックコポリマー等の熱可塑性エラストマー、低密度ポリエチレン、中密度ポリエチレン、高密度ポリエチレン、直鎖状低密度ポリエチレン、直鎖状超低密度ポリエチレン、ポリプロピレン、プロピレン−エチレン共重合体などのポリオレフィン系樹脂、ポリエチレンテレフタート樹脂、ナイロン−６、ナイロン−６，６などのポリアミド系樹脂、またはエチレン−酢酸ビニル共重合ケン化物などのバリア性を有する樹脂などを用いることができる。
【００１４】
容器２の口部３を封止するトップシール１２の層構成は、ポリプロピレン（ＰＰ）またはポリエチレン（ＰＥ）／アルミニウム箔（厚さ３０μｍ）／ポリエチレン（ＰＥ）（厚さ３０μｍ）／接着剤で構成される。接着剤はホットメールタイプまたはシーラントタイプがある。トップシール１３は容器２の口部３のフランジ部１２に溶着、融着その他の接着手段により接着される。
【００１５】
本発明に係る定量排出キャップ１を装着された容器２は、使用前までは口部３がトップシール１３で封止されているので、使用にあたっては定量排出キャップ１を容器２の口部３から一旦外し、トップシール１３をはがしたうえ容器２の口部３に再度定量排出キャップ１を装着する。
【００１６】
内容物の定量排出にあたっては、図５に示すように容器２を十分傾けるか倒立させると、内容物ａは容器２から筒体７を経て定量貯留室９内に貯留される。すなわち、定量貯留室９には満量状態に内容物ａが貯留される。
【００１７】
次いで、図７に示すように容器２を正立させると、定量貯留室９内に貯留した定量の内容物ａは排出貯留室１０に流入して貯留されるので、開閉蓋１１を開いて図７に示すように容器２を傾けて排出貯留室１０から貯留している内容物ａを全量排出することにより、定量の内容物を簡便かつ確実に排出することができる。そして、開閉蓋１１を閉じておけば容器２を密封状態に保つことができる。
【図面の簡単な説明】
【００１８】
【図１】本発明の一実施の形態に係る定量排出キャップを装着した容器の断面図である。
【図２】同上分解断面図である。
【図３】定量排出キャップの側面図である。
【図４】同上平面図である。
【図５】容器を傾けて内容物の定量計量状態を示す断面図である。
【図６】図５の状態から計量された定量の内容物を排出貯留させた状態を示す断面図である。
【図７】図６の状態から定量の内容物を排出する状態を示す断面図である。
【符号の説明】
【００１９】
１  定量排出キャップ
２  容器
３  口部
４  雄ネジ
５  キャップ
６  雌ネジ
７  筒体
８  縮小開口部
９  定量貯留室
１０  排出貯留室
１１  開閉蓋
１２  フランジ部
１３  トップシール
ａ  内容物
【図１】
2005212881.tif 000003
【図２】
2005212881.tif 000004
【図３】
2005212881.tif 000005
【図４】
2005212881.tif 000006
【図５】
2005212881.tif 000007
【図６】
2005212881.tif 000008
【図７】
2005212881.tif 000009